(57)【要約】  【課題】本発明は、液圧式の車両ブレーキ装置のための内接型ギヤポンプ（１）に関する。【解決手段】  本発明は、内側部分（１２）と、この内側部分（１２）の両端部を遊びを保って把持する外側部分（１３）とを備えた、内接型ギヤポンプ（１）の分離部材（７）を形成することを提案する。これによって、内側部分（１２）と外側部分（１３）とは、互いに半径方向で可動に接続されていて、予め組み立てられた構造群として内接型ギヤポンプ（１）内に組み込むことができる。  【選択図】  図１
2015530515.tif 000002
【特許請求の範囲】
【請求項１】
液圧式の車両ブレーキ装置のための内接型ギヤポンプであって、内歯を備えたリングギヤ（３）と、外歯を備えたピニオン（２）とを有しており、該ピニオン（２）は、前記リングギヤ（３）内に偏心的に配置されていて、周方向の一区分で前記リングギヤ（３）と噛み合っており、前記ピニオン（２）が前記リングギヤ（３）と噛み合う前記周方向の一区分に向き合う位置で前記ピニオン（２）と前記リングギヤ（３）との間に、三日月形のポンプ室（６）が形成されており、該ポンプ室（６）内に分離部材（７）が配置されていて、この分離部材（７）は前記ポンプ室（６）を、吸入領域（８）と吐出領域（９）とに分割しており、前記分離部材（７）が内側部分（１２）と外側部分（１３）とを有しており、前記内側部分（１２）が前記ピニオン（２）の歯列の歯先に当接し、かつ前記外側部分（１３）が前記リングギヤ（３）の歯列の歯先に当接する形式のものにおいて、
前記内側部分（１２）と前記外側部分（１３）とが、互いに半径方向で可動に接続されていることを特徴とする、液圧式の車両ブレーキ装置用の内接型ギヤポンプ。
【請求項２】
前記内側部分（１２）と前記外側部分（１３）とが、半径方向で互いに遊びを保ってスナップ係合し合うことを特徴とする、請求項１に記載の内接型ギヤポンプ。
【請求項３】
前記外側部分（１３）が前記内側部分（１２）を、または前記内側部分（１２）が前記外側部分（１３）を、周方向側の端部において把持することを特徴とする、請求項２に記載の内接型ギヤポンプ。
【請求項４】
前記内側部分（１２）が前記外側部分（１３）を周方向で支持するか、または前記外側部分（１３）が前記内側部分（１２）を周方向で支持することを特徴とする、請求項１に記載の内接型ギヤポンプ。
【請求項５】
前記内側部分（１２）と前記外側部分（１３）との間に、周方向に延在する板ばね（１４）が配置されており、該板ばね（１４）が、前記内側部分（１２）と前記外側部分（１３）とを互いに離れる方向に、かつ前記ピニオン（２）および前記リングギヤ（３）の歯列の歯先に向かって押圧することを特徴とする、請求項１に記載の内接型ギヤポンプ。
【請求項６】
前記内側部分（１２）と前記外側部分（１３）との間にシール部材（１５）が配置されており、該シール部材が、前記内側部分（１２）および／または前記外側部分（１３）に気密に当接し、かつ／または軸方向でシールしていることを特徴とする、請求項１に記載の内接型ギヤポンプ。
【請求項７】
前記分離部材（７）の前記構成部分（１２，１３，１４，１５）が予め組立可能な構造群を形成していることを特徴とする、請求項１に記載の内接型ギヤポンプ。
【発明の詳細な説明】
【技術分野】
【０００１】
本発明は、請求項１の前文の特徴を有する内接型ギヤポンプに関する。このような内接型ギヤポンプは、一般的に使用されるピストンポンプの代わりに、スキッドコントロール式および／または動力式の車両ブレーキ装置に使用され、必ずしも適切ではないが、しばしばリターンポンプとも称呼されている。
【背景技術】
【０００２】
内接型ギヤポンプは公知である。公知の内接型ギヤポンプは、ピニオン、つまり外歯を備えた歯車を有しており、このピニオンは、内歯を備えたリングギヤ内に偏心的に配置されていて、周方向の１個所で若しくは周方向の一区分でリングギヤと噛み合っている。ピニオンおよびリングギヤは、内接型ギヤポンプの歯車であると解釈されてもよい。２つの歯車のうちの一方、一般的にはピニオンが回転駆動されることによって、他方の歯車、一般的にはリングギヤが連動式に回転駆動され、内接型ギヤポンプは公知の形式で、流体つまり液圧式の車両ブレーキ装置においてはブレーキ液を圧送する。
【０００３】
ピニオンがリングギヤと噛み合う周方向区分に向き合う位置において、内接型ギヤポンプは、ピニオンとリングギヤとの間に三日月形のフリースペースを有しており、このフリースペースはここではポンプスペースと称呼される。ポンプスペース内には分離部材が配置されており、この分離部材はポンプ室を吐出領域と吸入領域とに分割している。分離部材はその典型的な形状に基づいて、三日月または三日月形部材とも称呼され、また別の呼び名として充てん部材とも称呼される。分離部材の、典型的には中空円形の内側は、ピニオンの歯列の歯先に当接していて、分離部材の、典型的には外方に向かって湾曲された外側は、リングギヤの歯列の歯先に当接しているので、分離部材は、内接型ギヤポンプの歯車の歯列間の歯間スペース内に流体体積を閉じ込める。歯車は回転駆動されることによって、歯間スペース内の流体を吸入側から吐出側へ圧送する。
【０００４】
特許文献１によれば、このような形式の内接型ギヤポンプが開示されており、この内接型ギヤポンプの分離部材は、複数部分より成っていて、内側部分と外側部分とを有しており、内側部分の内側がピニオンの歯列の歯先に当接し、外側部分の外側がリングギヤの歯列の歯先に当接するようになっている。吐出領域内の圧力に抗して、公知の内接型ギヤポンプの分離部材の内側部分と外側部分とは、周方向でピンに支えられていて、このピンは支持部を形成している。支持部を形成するピンは、分離部材の吸入側に配置されていて、ポンプスペースを横方向に若しくは軸平行に貫通している。
【先行技術文献】
【特許文献】
【０００５】
【特許文献１】ドイツ連邦共和国特許公開第１０２００９０４７６４３号明細書
【発明の概要】
【０００６】
請求項１の特徴を有する本発明による内接型ギヤポンプは、ピニオンの歯列の歯先に当接する内側部分とリングギヤの歯列の歯先に当接する外側部分とを有する、複数部分より成る分離部材を有している。本発明によれば、分離部材の内側部分と外側部分とが、互いに半径方向で可動に接続されている。「半径方向」とは、以下で用いられた名称「周方向側」、「周方向」および「軸方向」と同様に、内接型ギヤポンプに関するものであり、また前記構成部分の予定された組み込み位置に関するものである。内側部分および外側部分の、半径方向とは異なる可動性も排除されない。内接型ギヤポンプの半径方向における、内側部分および外側部分の可動性によって、内側部分および外側部分を、内接側ギヤポンプの歯車の歯列の歯先に当接させることができる。内側部分を外側部分に接続したことによって、複数部分より成る分離部材を構成部分として取り扱うことができ、内接型ギヤポンプの組立が簡略化される。
【０００７】
従属請求項には、請求項１に記載した本発明の好適な実施態様および変化実施例が記載されている。
【０００８】
請求項２によれば、半径方向で可動な接続を得るために、内側部分と外側部分とが半径方向で互いに遊びを保ってスナップ係合し合っている。請求項３による変化実施例では、外側部分が内側部分を、または内側部分が外側部分を、周方向側の端部において把持している。本発明のこのような構成によって、追加的な構成部分を必要とすることなしに、分離部材の内側部分と外側部分とを、簡単に半径方向で可動に接続することができる。
【０００９】
請求項４によれば、内側部分は周方向で外側部分に支持されている。これはつまり、内側部分が外側部分に当接していて、これによって内側部分と外側部分との間のシールが簡略化されている、ということである。請求項４は、逆の構成、つまり外側部分が周方向で内側部分に支持される構成も有している。好適には、分離部材の２つの部分のうちの一方だけが、周方向で内接型ギヤポンプの支持部に直に支えられており、他方の部分は前記一方の部分を介して間接的に支持部に支えられている。
【００１０】
請求項７によれば、分離部材の構成部分が予め組立可能な構造群として構成されており、これらの構造群は、仮組立後に、１つの構成部分のように、内接型ギヤの歯車間のポンプ室内に組み込むことができる。
【００１１】
本発明による内接型ギヤポンプは、特に、液圧式の、スキッドコントロール式および／または動力式車両ブレーキ装置のための液圧ポンプとして設けられている。スキッドコントロール式の車両ブレーキ装置における液圧ポンプは、リターンポンプとも称呼されていて、今日ではもっぱらピストンポンプとして構成されている。
【図面の簡単な説明】
【００１２】
【図１】本発明による内接型ギヤポンプの端面図である。
【発明を実施するための形態】
【００１３】
本発明を以下に図面に示した実施例を用いて詳しく説明する。
【００１４】
図面に示した本発明による内接型ギヤポンプ１は、ここではピニオン２と称呼される、外歯を備えた歯車と、ここではリングギヤ３と称呼される内歯を備えた歯車とを有している。ピニオン２は、このピニオン２がリングギヤ３と噛み合うように、軸平行にかつ偏心的にリングギヤ３内に配置されている。ピニオン２はポンプ軸４に相対回動不能に取り付けられていて、該ポンプ軸４と共にピニオン２が、および該ピニオン２を介して、該ピニオンと噛み合うリングギヤ３が回転駆動可能である。回転方向は矢印Ｐで示されている。リングギヤ３は回転可能に軸受リング５内に滑り軸受けされている。
【００１５】
ピニオン２がリングギヤ３と噛み合っている周方向区分に向き合う位置に、内接型ギヤポンプ１は三日月形のフリースペースを有しており、この三日月形のフリースペースは、ここではポンプ室６と称呼される。ポンプ室６内に、同様に三日月形または半三日月形の、複数の部分より成る分離部材７が配置されており、この分離部材７は、ポンプ室６を吸入領域８と吐出領域９とに分離している。吸入領域８はポンプ入口１０に連通しており、このポンプ入口１０は孔として構成されていて、横方向に、つまり内接型ギヤポンプ１に対して軸平行に、一方側からポンプ室６の吸入領域８内に開口している。吐出領域９は、ポンプ出口１１に連通していて、このポンプ出口１１は、図示の実施例ではアーチ形のスリットとして構成されていて、一方側からポンプ室６の吐出領域９内に開口している。アーチ形のポンプ出口１１は部分的に分離部材７によって覆われていて、周方向で少しだけ、分離部材７の吐出側の端部を越えてポンプ室６の吐出領域９内へ移行している。
【００１６】
複数の部分より成る分離部材７は、アーチ形の内側部分１２と、同様にアーチ形でブラケット状の外側部分１３とを有している。内側部分１２の凹状の円筒形の内側はピニオン２の歯列の歯先に当接していて、外側部分１３の凸状の円筒形の外側はリングギヤ３の歯列の歯先に当接している。分離部材７の内側部分１２および外側部分１３が、ピニオン２の歯先およびリングギヤ３の歯先に当接することによって、流体がピニオン２の歯列とリングギヤ３の歯列との間の中間室内に流入し、それによって、ピニオン２およびリングギヤ３の回転駆動時に、流体が吸入領域８から吐出領域９へ圧送される。内接型ギヤポンプ１が液圧式の車両ブレーキ装置の液圧ポンプとして使用される場合、圧送される流体はブレーキ液である。
【００１７】
周方向側の両端部において、外側部分１３は、内側部分１２を半径方向で遊びを保って外側部分１３に接続するスナップ係合部が形成されるように、内側部分１２を把持している。スナップ係合部によって接続された、若しくは両端部が外側部分１３によって把持されている内側部分１２と、外側部分１３とは、半径方向で互いに可動である。
【００１８】
内側部分１２と外側部分１３との間のギャップ内に板ばね１４が配置されている。この板ばね１４は、内側部分１２と外側部分１３とを互いに離れる方向に押圧し、それによって予定通りに、ピニオン２およびリングギヤ３の歯列の歯先に当接するようになっている。ばね力を作用させるために、板ばね１４は、変形されていない状態で、内側部分１２および外側部分１３とは異なる曲率半径を有していて、湾曲されているかまたは波形であってよいが、板ばねの形状は、これに限定されるものではない。
【００１９】
吐出領域側の端部において、内側部分１２と外側部分１３との間のギャップ内に板ばね１４が配置されていて、このギャプは、吐出領域９に連通しており、従って、内側部分１２と外側部分１３との間のギャップ内には、吐出領域９内と同じ圧力が形成されている。この圧力は、分離部材７の内側部分１２および外側部分１３を、やはり互いに離れる方向に、かつピニオン２およびリングギヤ３の歯列の歯先に向かって押圧する。
【００２０】
吸入領域側の端部で、分離部材７の内側部分１２と外側部分１３との間にシール部材１５が配置されており、このシール部材は、内側部分１２と外側部分１３との間をシールし、軸方向でポンプハウジングの図示していない端壁または側壁、若しくはポンプ室６の側方を仕切っている内接型ギヤポンプ１のいわゆるアキシャルディスクをシールする。図示の実施例では、シール部材１５は、変形されていない状態で円柱形である。シール部材のその他の形状も可能である。
【００２１】
吐出領域９内に形成された圧力に対して、分離部材７の外側部分１３は、周方向で支持部１６に支えられており、この支持部１６は、その、分離部材７の、吸入領域側の端部に配置されている。図示の実施例では、支持部１６は、偏平部１７を備えたシリンダピンであって、この偏平部１７に、分離部材７の外側部分１３の吸入領域側の端部が当接する。支持部１６を形成するピンは、吸入領域６内で内接型ギヤポンプ１のポンプ室６を、横方向に、つまり軸平行に貫通している。
【００２２】
分離部材７の内側部分１２は、支持部１６に直に支えられているのではなく、外側部分１３を介して間接的に支えられている。内側部分１２の吸入領域側の端部は、この端部を把持する、外側部分１３の吸入領域側の端部に当接している。内側部分１２と外側部分１３とが当接していることによって、内側部分１２と外側部分１３との間のシールは簡略化され、このために、円柱形のシール部材１５等の簡単なシールで十分である。複雑なまたは複数の部分より成る高価なシールは必要ない。
【００２３】
内側部分１２の両端部を把持する、外側部分１３の両端部は、前述のように、内側部分１２を、内接型ギヤポンプ１の半径方向で可動に遊びを保って外側部分１３に接続するスナップ係合部として作用する。内側部分１２と外側部分１３との間に配置された、内側部分１２および外側部分１３を互いに離れる方向に押圧する板ばね１４は、内側部分１２を外側部分１３内で軸方向若しくは側方に保持する摩擦を生ぜしめる。分離部材７の複数の部分、つまり内側部分１２、外側部分１３、板ばね１４およびシール部材１５は、内接型ギヤポンプ１の外部で予め組立可能な１つの構造群を形成している。内接型ギヤポンプ１の組立時に、構造群として構成された分離部材７は、１つの構成部分として、ピニオン２とリングギヤ３との間のポンプ室６内に組み込まれ、このためには、内側部分１２および外側部分１３を半径方向で圧縮するだけでよいので、ポンプ室６の間隔は、ピニオン２およびリングギヤ３の歯列の歯先間の中間室よりも大きくない。従って、内接型ギヤポンプ１内への分離部材７の組立は簡略化され、このことは、液圧式の車両ブレーキ装置の液圧ポンプとして使用される内接型ギヤポンプ１等の小型の構成部分において多大な利点をもたらす。
【００２４】
本発明による内接型ギヤポンプ１は、図示していない液圧式の、スキッドコントロール式および／または動力式車両ブレーキ装置の液圧ポンプとして設けられ、この場合、この内接型ギヤポンプ１は、アンチロック制御装置、トラクションコントロールおよび／若しくはビーグルダイナミックコントロール等のスキッドコントロールのために用いられ、ならびに／または液圧式の動力式車両ブレーキ装置におけるブレーキ圧形成のために用いられる。このような液圧ポンプは、必ずしも適切ではないが、リターンポンプとも称呼される。前記スキッドコントロールのために、略語ＡＢＳ，ＡＳＲ，ＦＤＲおよびＥＳＰが一般的に用いられている。ビーグルダイナミックコントロールは、俗語的に超過速度制御装置とも称呼される。
【符号の説明】
【００２５】
１  内接型ギヤポンプ
２  ピニオン
３  リングギヤ
４  ポンプ軸
５  軸受リング
６  ポンプ室
７  分離部材
８  吸入領域
９  吐出領域
１０  ポンプ入口
１１  ポンプ出口
１２  内側部分
１３  外側部分
１４  板ばね
１５  シール部材
１６  支持部
１７  偏平部
【図１】
2015530515.tif 000003
【国際調査報告】
2015530515.tif 000004
2015530515.tif 000005
2015530515.tif 000006
2015530515.tif 000007